(57)【要約】【課題】コネクタ装置における防水構造を簡略化する。【解決手段】基板用コネクタ２０は、相手コネクタ４０に設けられた嵌合部４４が内嵌されるハウジング側フード２５を設けたハウジング２１を有し、同ハウジング２１内には、一端３２が回路基板Ｋの導電部Ｈと接続される端子金具３０が他端３１をハウジング側フード２５内に臨ませた形態で収容された構造である。ケース１０の開口部１２における外面側口縁からは、基板用コネクタ２０のハウジング側フード２５が内部に略緊密に嵌合可能であり、かつハウジング側フード２５よりも長い寸法を有するケース側フード１５が突出形成されている。ケース側フード１５の突出端側の内周面が、相手コネクタ４０との間をシールするシールリング５０が配設されるシール面１６とされている。【選択図】図１４
2013239247.tif 000002
【特許請求の範囲】
【請求項１】
上面が開口された合成樹脂製のケースと、
このケース内に装備される回路基板に取り付けられる基板用コネクタと、が設けられ、前記基板用コネクタが前記ケースの側壁に設けられた開口部に相手コネクタと嵌合可能に配されてなる電子制御ユニットのコネクタ装置において、
前記基板用コネクタは、前記相手コネクタに設けられた嵌合部が内嵌されるハウジング側フードを設けたハウジングを有し、同ハウジング内には、一端が前記回路基板の導電部と接続される端子金具が他端を前記ハウジング側フード内に臨ませた形態で収容された構造である一方、
前記ケースの前記開口部における外面側口縁からは、前記基板用コネクタの前記ハウジング側フードが内部に略緊密に嵌合可能であり、かつ前記ハウジング側フードよりも長い寸法を有するケース側フードが突出形成されており、
前記ケース側フードの突出端側の内周面が、前記相手コネクタとの間をシールするシールリングが配設されるシール面とされていることを特徴とする電子制御ユニットのコネクタ装置。
【請求項２】
前記ハウジング側フードの先端の内周縁と、前記相手コネクタの前記嵌合部の先端の外周縁との少なくともいずれか一方には、誘い込み用のテーパ面が全周に亘って形成されていることを特徴とする請求項１記載の電子制御ユニットのコネクタ装置。
【請求項３】
前記相手コネクタにはカム溝を備えたレバーが装着されている一方、前記ケース側フードの外面には前記カム溝と係合するフォロワピンが突設され、前記レバーの回動操作に伴い前記フォロワピンが前記カム溝に沿って変位する際のカム作用により前記相手コネクタが前記基板用コネクタに対して嵌合・離脱される構成であることを特徴とする請求項１または請求項２記載の電子制御ユニットのコネクタ装置。
【請求項４】
前記基板用コネクタの前記ハウジング側フードが前記ケース側フード内に正規に嵌合された場合において、前記ハウジング側フードの先端位置が、前記フォロワピンの突設位置かそれよりも手前側に留まる設定となっていることを特徴とする請求項３記載の電子制御ユニットのコネクタ装置。
【請求項５】
前記ケースと前記基板用コネクタとの間には、前記基板用コネクタの前記ハウジング側フードが前記ケース側フード内に正規嵌合された状態に保持する保持手段が設けられていることを特徴とする請求項１ないし請求項４のいずれか一項に記載の電子制御ユニットのコネクタ装置。
【発明の詳細な説明】
【技術分野】
【０００１】
本発明は、電子制御ユニットに設けられたコネクタ装置に関する。
【背景技術】
【０００２】
従来、電子制御ユニットに設けられたコネクタ装置の一例として、下記特許文献１に記載のものが知られている。このものは、回路基板が収容されるケースと、同回路基板に取り付けられた基板用コネクタとが備えられ、ケースの側壁には相手コネクタが嵌合される嵌合凹部が形成されてその奥面に開口部が形成され、上記の基板用コネクタが開口部を通して相手コネクタと嵌合可能に嵌合凹部内に臨んだ構造となっている。
【先行技術文献】
【特許文献】
【０００３】
【特許文献１】特許第４１５３５４９号公報
【発明の概要】
【発明が解決しようとする課題】
【０００４】
上記従来構造では、コネクタ装置の防水を図るに当たり、基板用コネクタと相手コネクタとの間をシールすることに加えて、基板用コネクタと、ケースの側壁に形成された嵌合凹部の奥面の開口部との間をシールする必要があり、すなわち防水構造が複雑化する嫌いがあって、その改良が切望されていた。  
本発明は上記のような事情に基づいて完成されたものであって、その目的は、コネクタ装置における防水構造を簡略化するところにある。
【課題を解決するための手段】
【０００５】
本発明は、上面が開口された合成樹脂製のケースと、このケース内に装備される回路基板に取り付けられる基板用コネクタと、が設けられ、前記基板用コネクタが前記ケースの側壁に設けられた開口部に相手コネクタと嵌合可能に配されてなる電子制御ユニットのコネクタ装置において、前記基板用コネクタは、前記相手コネクタに設けられた嵌合部が内嵌されるハウジング側フードを設けたハウジングを有し、同ハウジング内には、一端が前記回路基板の導電部と接続される端子金具が他端を前記ハウジング側フード内に臨ませた形態で収容された構造である一方、前記ケースの前記開口部における外面側口縁からは、前記基板用コネクタの前記ハウジング側フードが内部に略緊密に嵌合可能であり、かつ前記ハウジング側フードよりも長い寸法を有するケース側フードが突出形成されており、前記ケース側フードの突出端側の内周面が、前記相手コネクタとの間をシールするシールリングが配設されるシール面とされているところに特徴を有する。
【０００６】
基板用コネクタは、そのハウジング側フードがケースの内側からケース側フード内に略緊密に嵌合され、例えばそののちにケース内に装着された回路基板に対して取り付けられる。ここで、ケース側フードの方がハウジング側フードよりも長いために、ケース側フードの突出端側の内周面がシール面として露出した形態にある。この状態から相手コネクタの嵌合部がケース側フードに外方から嵌合され、さらに嵌合部の先端側が基板用コネクタのハウジング側フード内に嵌合されることで、基板用コネクタと相手コネクタとが嵌合接続される。このとき、嵌合部の基端側の外周に装着されたシールリングがケース側ハウジングのシール面との間で弾縮され、シールが取られる。
【０００７】
基板用コネクタのハウジング側フードを、ケース側ハウジング内に嵌合した二重フード構造とし、かつケース側フードの方を長くしてその先端側の内周面にシール面を設定し、同シール面と相手コネクタの嵌合部の外周面との間に単一のシールリングを介在させる構成としたことによって、基板用コネクタと相手コネクタとの間と、ケースの開口部の回りのシールが併せて行われる。端的には、ケース内への防水を図るに当たり、ケースと基板用コネクタとの間のシールが不要にでき、防水構造を簡略化することができる。
【０００８】
また、以下のような構成としてもよい。  
（１）前記ハウジング側フードの先端の内周縁と、前記相手コネクタの前記嵌合部の先端の外周縁との少なくともいずれか一方には、誘い込み用のテーパ面が全周に亘って形成されている。  
相手コネクタの嵌合部が誘い込み用のテーパ面で芯出しされつつ基板用コネクタのハウジング側フードに嵌合され、すなわち嵌合部が真直姿勢で押し込まれることにより、シールリングがシール面の内側に正規姿勢でスムーズに押し込まれる。
【０００９】
（２）前記相手コネクタにはカム溝を備えたレバーが装着されている一方、前記ケース側フードの外面には前記カム溝と係合するフォロワピンが突設され、前記レバーの回動操作に伴い前記フォロワピンが前記カム溝に沿って変位する際のカム作用により前記相手コネクタが前記基板用コネクタに対して嵌合・離脱される構成である。
【００１０】
レバーの回動操作により両コネクタを嵌合・離脱する際には、レバーはフォロワピンとカム溝との係合による抵抗を受けて例えば開き変形する嫌いがあり、それに伴いフォロワピンが設けられた部材にまで変形が及ぶおそれがある。ここでフォロワピンはケース側フードに立てられているから、変形するのはケース側フードに留められて基板用コネクタのハウジング側フードには及ばず、結果基板用コネクタが不必要に変位することが防止される。そのため、基板用コネクタの端子金具と回路基板の導電部との接続部分において半田にクラックが入る等が防止される。
【００１１】
（３）前記基板用コネクタの前記ハウジング側フードが前記ケース側フード内に正規に嵌合された場合において、前記ハウジング側フードの先端位置が、前記フォロワピンの突設位置かそれよりも手前側に留まる設定となっている。  
ケース側フードはフォロワピンの突設位置が最も変形しやすいといえるが、基板用コネクタのハウジング側フードの先端位置は、せいぜいフォロワピンの突設位置までに留まっているから、ケース側フードの変形の影響がハウジング側フードに及ぶことがより確実に防止される。
【００１２】
（４）前記ケースと前記基板用コネクタとの間には、前記基板用コネクタの前記ハウジング側フードが前記ケース側フード内に正規嵌合された状態に保持する保持手段が設けられている。  
相手コネクタが基板用コネクタに嵌合された場合の押し込み力が保持手段で受けられ、基板用コネクタがケース内に向けて変位することがより確実に規制されて、基板用コネクタの端子金具と回路基板の導電部との接続部分に負荷が掛かることが防止される。
【発明の効果】
【００１３】
本発明によれば、コネクタ装置における防水構造を簡略化することができる。
【図面の簡単な説明】
【００１４】
【図１】本発明の一実施形態に係るケースの正面図
【図２】同平面図
【図３】同側面図
【図４】基板用コネクタの正面図
【図５】同平面図
【図６】同側面図
【図７】基板用コネクタの装着動作を示す断面図
【図８】基板用コネクタが組み付けられた状態の縦断面図
【図９】同一部切欠平面図
【図１０】同正面図
【図１１】相手コネクタの正面図
【図１２】同平面図
【図１３】同側面図
【図１４】相手コネクタの嵌合前の状態の縦断面図
【図１５】同部分平断面図
【図１６】嵌合途中の状態の部分平断面図
【図１７】嵌合完了時の部分平断面図
【発明を実施するための形態】
【００１５】
＜実施形態＞
本発明の一実施形態を図１ないし図１７に基づいて説明する。  
この実施形態の電子制御ユニット（以下、ＥＣＵという）は、図１４に示すように、合成樹脂製のケース１０と、このケース１０内に装備される回路基板Ｋと、この回路基板Ｋに取り付けられる基板用コネクタ２０とが備えられ、ケース１０の前壁１０Ｂに設けられたコネクタ部Ｃに基板用コネクタ２０が臨んで配され、このコネクタ部Ｃにおいて基板用コネクタ２０と相手コネクタ４０とが嵌合接続されるようになっている。
【００１６】
ケース１０は上記のように合成樹脂製であって、図１ないし図３に示すように、上面が全面に亘って開口された平面略方形の深皿状に形成されている。  
ケース１０内には、回路基板Ｋが上方からほぼ緊密に挿入され、ケース１０の底面１０Ａから立てられた受け部（図示せず）で受けられることにより、所定の深さ位置において水平姿勢で支持されるようになっている。
【００１７】
回路基板Ｋには、共に図示しないが、所定の導電路が形成されているとともに、各種電子機器やコネクタが搭載されている。回路基板Ｋにおける一辺部の中央幅領域には、図１５に示すように、複数のスルーホールＨが整列して形成されている。
【００１８】
基板用コネクタ２０は雄側コネクタであって、図４ないし図７に示すように、合成樹脂製の雄ハウジング２１を備えている。雄ハウジング２１は、横長の長方形をなす縦向きの基盤２２の前面に、この基盤２２よりも一回り小さい外形形状のハウジング側フード２５が突出形成されている。ハウジング側フード２５は詳細には、前後両面が開口し、かつ正面視で四隅に丸みが付された横長の長方形をなす筒形を形成されており、基盤２２の前面における幅方向の中央部において、下面のみを基盤２２の下縁と面一とした形態で上記のように手前側に突出形成されている。
【００１９】
ハウジング側フード２５内における中央長さ位置よりも少し後方に寄った位置には、ハウジング側フード２５内を前後に仕切るようにしてやや厚肉の装着壁２６が形成されている。この装着壁２６には、端子金具３０を貫通する複数の端子挿通孔２７が形成されている。端子挿通孔２７は、大端子挿通孔２７Ｌと小端子挿通孔２７Ｓとからなり、図４に示すように、装着壁２６における正面視で左端寄りの領域に、２個の大端子挿通孔２７Ｌが横に並んで形成されている一方、残りの右側の領域には、多数（図示２３個）の小端子挿通孔２７Ｓが、複数個ずつ３段に分かれて整列形成されている。
【００２０】
端子金具３０は、金属線材をＬ字形に曲げ形成したＬ形端子からなり、幅が異なる大端子金具３０Ｌと小端子金具３０Ｓとが備えられている。各端子金具３０は、それぞれ後端部３２を上に向けた姿勢において、それぞれの前端部３１が対応する端子挿通孔２７に対して後面側から圧入される。各端子金具３０は、それぞれ前端部３１がハウジング側フード２５内における装着壁２６の前面側に水平姿勢で突出した形態で装着される。各端子金具３０の後端部３２は、基盤２２の後方において上向きの姿勢で整列して配され、それぞれの上端は、基盤２２の上縁より少し突出した位置に達している。
【００２１】
雄ハウジング２１における基盤２２の裏面には、ハウジング側フード２５の上縁の左右両端と対応する位置に、上記した回路基板Ｋの縁辺を受ける左右一対の受け片２３が突出形成されている。基盤２２の左右両側縁には、被保持突部２４が上下一対ずつ張り出し形成されている。  
また、ハウジング側フード２５内の装着壁２６の前面には、大端子金具３０Ｌと小端子金具３０Ｓの装着領域の間の位置から、誤嵌合防止用のリブ２８が、同ハウジング側フード２５の前縁よりも所定寸法突出する位置まで突出形成されている。
【００２２】
次に、ケース１０に設けられたコネクタ部Ｃについて説明する。ケース１０の前壁１０Ｂには、その中央幅位置において、図７に示すように、基板用コネクタ２０のハウジング側フード２５が略緊密に嵌合される開口部１２が、その下縁をケース１０の底面１０Ａと面一に配した形態で形成されており、この開口部１２の表面側の口縁部からケース側フード１５が突出形成されている。
【００２３】
このケース側フード１５は、基板用コネクタ２０のハウジング側フード２５のほぼ１．５倍の長さ寸法を有している。基板用コネクタ２０のハウジング側フード２５は、ケース側フード１５内に内側から挿入され、基盤２２が開口部１２の裏側の口縁部に当たったところで押し込みが停止される。開口部１２の裏側の左右の側縁部には、雄ハウジング２１の基盤２２の被保持突部２４に係止する保持部１３が、縦向きで互いに対向するようにして形成されている。
【００２４】
ハウジング側フード２５が正規位置まで挿入されると、その前端位置は、図８に示すように、ケース側フード１５内において奥から同ケース側フード１５の全長の略２／３の長さ前方の位置にある。  
ハウジング側フード２５の先端の内周縁には、図７に示すように、誘い込み用のテーパ面３５が全周に亘って形成されている。
【００２５】
ケース側フード１５における前端部、詳細には、ハウジング側フード２５が正規位置まで挿入されたときのその前端位置よりも前方の残りの１／３の領域は、段差部１７を介して内周面が縮径されており、このケース側フード１５の前端側の縮径された内周面が、相手コネクタ４０との間をシールするべくシールリング５０が密着されるシール面１６となっている。
【００２６】
相手コネクタ４０は、レバー式の雌側コネクタである。この相手コネクタ４０の雌ハウジング４１は合成樹脂製であって、図１１ないし図１４に示すように、横長のブロック状をなす本体部４２を有し、本体部４２の後端から同本体部４２の回りを覆うようにしてフード部４３が前方に延出形成されている。本体部４２の前端部には、シールリング５０を押さえることを兼ねた前壁部材４４が嵌着されている。この前壁部材４４を含む本体部４２が、本発明の嵌合部に相当する。
【００２７】
雌ハウジング４１の本体部４２内には、上記したＬ形端子である端子金具３０の前端部３１と嵌合接続する雌端子（図示せず）を収容可能なキャビティ４５が、端子金具３０の前端部３１の配列と対応した配列で形成されている。本体部４２の基端側の外周にはシールリング５０が嵌着され、前壁部材４４で外れ止めされている。
【００２８】
この雌ハウジング４１の本体部４２に装着された前壁部材４４の外周面４４Ａが、基板用コネクタ２０の雄ハウジング２１におけるハウジング側フード２５の内周面２５Ａに嵌合される一方、ケース側フード１５の外周面１５Ａが、雌ハウジング４１におけるフード部４３の内周側に嵌合されるようになっている。前壁部材４４の前面の外周縁には、誘い込み用のテーパ面４７が全周に亘って形成されている。
【００２９】
雌ハウジング４１には、嵌合力を助勢するレバー５５が装着されている。レバー５５は合成樹脂であって、板状をなす左右一対のアーム部５６の先端同士を操作部５７で連結した門形に形成されており、アーム部５６の内面には所定形状のカム溝５８が形成されている（図１１，図１４参照）。このレバー５５は、図１３に示すように、雌ハウジング４１の左右の側面における後縁寄りの位置に設けられた回動軸６０を中心として、同図に示すように、アーム部５６の先端が上方を向いた初期位置と、同初期位置から反時計回り方向に略９０°回動された嵌合位置との間で回動操作可能となっている。
【００３０】
レバー５５が初期位置にあるときには、図１４に示すように、カム溝５８の入口が前方を向いて開口している。また、嵌合位置では、ロック片６２が被ロック部６３に嵌って同嵌合位置にロックされるようになっている。  
一方、ケース側フード１５の左右の両側面には、図１ないし図３に示すように、上記したレバー５５のカム溝５８に嵌入するフォロワピン７０が突出形成されている。同フォロワピン７０のケース側フード１５の長さ方向における形成位置は、図１５に示すように、ハウジング側フード２５がケース側フード１５内に正規位置まで嵌合された場合に、ハウジング側フード２５の先端と対応する位置である。
【００３１】
続いて、本実施形態の作用を説明する。  
ＥＣＵを組み立てるに当たっては、基板用コネクタ２０を、図７の矢線に示すように、ケース１０の底面１０Ａの所定位置に当てたのち、同底面１０Ａ上に沿って前壁１０Ｂに設けられたケース側フード１５に向けて摺動させる。基板用コネクタ２０のハウジング側フード２５が、ケース側フード１５内に略緊密に嵌合され、押し込みの終盤では、基盤２２の左右両側縁に設けられた上下一対ずつの被保持突部２４が、保持部１３を弾性変位させつつ対向縁を通過し、基盤２２が開口部１２の裏側の後縁に当たって押し込みが停止されたところで、図８及び図９に示すように、保持部１３が復元変位して被保持突部２４に係止し、基板用コネクタ２０が抜け止めされた状態に保持される。
【００３２】
上記のようにハウジング側フード２５が正規位置に挿入されて保持された状態では、ハウジング側フード２５の前端位置は、図１４に示すように、ケース側フード１５の内周面の段差部１７まで達しており、ケース側フード１５の前端側の内周のシール面１６が、露出した状態にある。これにより、ケース側フード１５内に基板用コネクタ２０のハウジング側フード２５が臨んだ形態のコネクタ部Ｃが形成される。  
併せて基板用コネクタ２０に装着された端子金具３０の後端部３２が、上向きの姿勢で整列配置される。
【００３３】
上記のようにコネクタ部Ｃが形成されたら、電子部品等を実装した回路基板Ｋが所定の水平姿勢を採ってケース１０内に上面開口から入れられ、回路基板Ｋに形成されたスルーホールＨに各端子金具３０の上向きの後端部３２を挿入しつつ落とし込まれ、ケース１０の底面から立てられた受け部（図示せず）と、雄ハウジング２１の基盤２２の裏面に突設された一対の受け片２３とによって、水平姿勢で受けられて支持される。  
続いて、各端子金具３０の後端部３２と、同後端部３２が挿通された対応するスルーホールＨとの間が、半田付けされて電気的に接続される。  
そののち、ケース１０の上面開口には図示しない合成樹脂製の蓋板が被せられ、溶着等によって上面開口の周縁がシールされる。
【００３４】
このようにＥＣＵ（ケース１０）側の組み付けが完了したら、図１４及び図１５に示すように、コネクタ部Ｃに対して、相手コネクタ４０が嵌合される。  
相手コネクタ４０は、図１４に示すように、リテーナ６５が仮係止位置に保持された状態において、各キャビティ４５に対して電線の端末に接続された雌端子（図示せず）が挿入されてランス６６により一次係止され、続いてリテーナ６５が本係止位置に押し込まれることで二重係止される。それとともに、レバー５５が初期位置、すなわちカム溝５８の入口が前方を向いた姿勢にセットされる。
【００３５】
このような状態から、図１４及び図１５の矢線に示すように、相手コネクタ４０がＥＣＵ（ケース１０）のコネクタ部Ｃに対して嵌合される。まず、図１６に示すように、ケース側フード１５の先端が、相手コネクタ４０の雌ハウジング４１のフード部４３の内周面と、前壁部材４４の外周面４４Ａとの間に挿入され、さらに嵌合が進むと、ハウジング側フード２５の装着壁２６の前面に突設されたリブ２８が、雌ハウジング４１の前壁部材４４の前面から本体部４２の前面側に亘って穿設されたガイド溝６８に挿入されて相手コネクタ４０の向きの適否が検知され、続いて前壁部材４４の前面の外周縁のテーパ面４７と、ハウジング側フード２５の先端の内周縁のテーパ面３５が当たり合うことで、相手コネクタ４０の本体部４２の前端部（前壁部材４４の装着部分）が芯出しされつつ、基板用コネクタ２０のハウジング側フード２５内に所定量嵌合される。
【００３６】
この間に、ケース側フード１５の左右の周面に突設されたフォロワピン７０が、レバー５５のアーム部５６に形成されたカム溝５８の入口に挿入される。所定量挿入されると、詳しくは図示しないが初期位置でのロックが解除されるため、そののちレバー５５が、図１４の反時計回り方向に嵌合位置に向けて約９０°回動操作される。これに伴い、フォロワピン７０がカム溝５８に沿って変位する際のカム作用により、相手コネクタ４０が基板用コネクタ２０に引き寄せられ、詳細には、雌ハウジング４１の本体部４２の前端部（前壁部材４４の装着部分）が、雄ハウジング２１のハウジング側フード２５内に次第に嵌合され、レバー５５が嵌合位置まで回動されることに伴い、図１７に示すように、前壁部材４４の前面が装着壁２６の前面に当たるまで嵌合される（正規嵌合状態）。
【００３７】
レバー５５は、ロック片６２が被ロック部６３に嵌ることで嵌合位置にロックされ、これに伴い、相手コネクタ４０と、ケース側フード１５ひいては基板用コネクタ２０との間が正規嵌合状態にロックされる。両コネクタ２０，４０が正規嵌合状態にロックされたときには、基板用コネクタ２０に装着された各端子金具３０の前端部３１が、相手コネクタ４０に装着された対応する雌端子（図示せず）と正規に接続される。
【００３８】
それとともに、基板用コネクタ２０における雌ハウジング４１の本体部４２の基端側の外周面に嵌着されたシールリング５０が、ケース側フード１５の先端側の内周面であるシール面１６の内側に嵌合され、両面の間で弾縮されつつ両面に密着することによって、相手コネクタ４０の外周面とケース側フード１５の内周面との間がシールされ、ひいては相手コネクタ４０と基板用コネクタ２０の嵌合面の間がシールされることになる。
【００３９】
相手コネクタ４０の離脱作業を行う場合は、ロック片６２によるロックを外したのち、レバー５５を嵌合位置から初期位置に向けて上記と逆方向に回動すると、フォロワピン７０とカム溝５８との係合に伴うカム作用により、相手コネクタ４０が基板用コネクタ２０から離脱される。
【００４０】
本実施形態によれば、以下のような効果を得ることができる。  
基板用コネクタ２０のハウジング側フード２５を、ケース側フード１５内に嵌合した二重フード構造とし、かつケース側フード１５の方を長くしてその先端側の内周面にシール面１６を設定し、同シール面１６と相手コネクタ４０の本体部４２の外周面との間に単一のシールリング５０を介在させる構成としたことにより、基板用コネクタ２０と相手コネクタ４０との間と、ケース１０の開口部１２の回りのシールが併せて行われる。端的には、コネクタ部Ｃにおいてケース１０内への防水を図るに当たり、ケース１０と基板用コネクタ２０との間のシールが不要にでき、防水構造が簡略化される。
【００４１】
基板用コネクタ２０に相手コネクタ４０が嵌合されるに当たり、相手コネクタ４０の本体部４２が、誘い込み用のテーパ面３５，４７で芯出しされつつ基板用コネクタ２０のハウジング側フード２５に嵌合され、すなわち本体部４２が真直姿勢で押し込まれることにより、同本体部４２の外周に嵌着されたシールリング５０が、ケース側フード１５のシール面１６の内側に正規姿勢でスムーズに押し込まれる。そのため、シールリング５０を正規姿勢で挟着でき、より確実なシール機能が果たされる。
【００４２】
相手コネクタ４０は、レバー５５の回動操作により嵌合力を助勢されつつ基板用コネクタ２０に対して嵌合・離脱されるが、その際、レバー５５はフォロワピン７０とカム溝５８との係合による抵抗を受けて例えば開き変形する嫌いがあり、それに伴いフォロワピン７０が設けられた部材にまで変形が及ぶおそれがある。しかし本実施形態では、フォロワピン７０はケース側フード１５に立てられているから、変形するのはケース側フード１５に留められて基板用コネクタ２０のハウジング側フード２５には及ばず、結果、基板用コネクタ２０が不必要に変位することが防止される。そのため、基板用コネクタ２０に装着された端子金具３０と、回路基板ＫのスルーホールＨとの接続部分において半田にクラックが入ること等が防止される。
【００４３】
また、ケース側フード１５は、フォロワピン７０の突設位置が最も変形しやすいといえるが、基板用コネクタ２０のハウジング側フード２５の先端位置は、フォロワピン７０の突設位置に留まっているから、例えば、ハウジング側フード２５の先端がフォロワピン７０の突設位置を超えてさらに前方に位置しているときと比べると、ケース側フード１５の変形の影響がハウジング側フード２５に及ぶことが小さく抑えられる。
【００４４】
さらに本実施形態では、基板用コネクタ２０のハウジング側フード２５がケース側フード１５内に正規嵌合された状態において、基板用コネクタ２０を同位置に保持するために、保持部１３と被保持突部２４とからなる保持手段７５が備えられている。そのため、相手コネクタ４０が基板用コネクタ２０に嵌合された場合の押し込み力が保持手段７５で受けられ、基板用コネクタ２０がケース１０内に向けて変位することが確実に規制され、基板用コネクタ２０に装着された端子金具３０と、回路基板ＫのスルーホールＨとの接続部分において半田にクラックが入ることが防止される。
【００４５】
＜他の実施形態＞
本発明は上記記述及び図面によって説明した実施形態に限定されるものではなく、例えば次のような実施形態も本発明の技術的範囲に含まれる。  
（１）相手コネクタの雌ハウジングを芯出して基板用コネクタのハウジング側フード内に嵌合するための誘い込み用のテーパ面は、前壁部材の前面の外周縁と、ハウジング側フードの先端の内周縁とのいずか一方のみに形成するようにしてもよい。  
（２）上記実施形態では、相手コネクタの雌ハウジングにおいて、本体部の前端側に前壁部材が装着された２ピース形式のものを例示したが、前壁部材を備えない１ピース構造であってもよい。  
（３）ケース側フード上のフォロワピンの突設位置を、正規嵌合されたハウジング側フードの先端位置よりも前方に設定すると、ケース側フードの変形の影響がハウジング側フードに及ぶことをより確実に防止できる。
【００４６】
（４）上記実施形態では、相手コネクタにレバーを備えたものを例示したが、レバー等の倍力機構を備えない相手コネクタを基板用コネクタに嵌合するものにおいても、本発明は同様に適用することが可能である。  
（５）上記実施形態では、基板用コネクタに装着した端子金具の一端を回路基板のスルーホールと接続するのに半田付けした場合を例示したが、端子金具の一端をスルーホールに圧入して接続するプレスフィット形式を採用したものであってもよい。  
（６）基板用コネクタのハウジング側フードがケース側フード内に正規嵌合された状態に保持する保持手段としては、上記実施形態に例示したものに限らず適宜の構造のものを採用することができる。
【符号の説明】
【００４７】
Ｃ…コネクタ部
Ｈ…スルーホール（導電部）
Ｋ…回路基板
１０…ケース
１０Ａ…前壁（側壁）
１２…開口部
１３…保持部
１５…ケース側フード
１６…シール面
２０…基板用コネクタ
２１…雄ハウジング（ハウジング）
２２…基盤
２４…被保持突部
２５…ハウジング側フード
２６…装着壁
３０，３０Ｌ，３０Ｓ…端子金具
３１…前端部（他端）
３２…後端部（一端）
３５…テーパ面
４０…相手コネクタ
４１…雌ハウジング
４２…本体部（嵌合部）
４４…前壁部材（嵌合部）
５０…シールリング
５５…レバー
５８…カム溝
６０…回動軸
７０…フォロワピン
７５…保持手段
【図１】
2013239247.tif 000003
【図２】
2013239247.tif 000004
【図３】
2013239247.tif 000005
【図４】
2013239247.tif 000006
【図５】
2013239247.tif 000007
【図６】
2013239247.tif 000008
【図７】
2013239247.tif 000009
【図８】
2013239247.tif 000010
【図９】
2013239247.tif 000011
【図１０】
2013239247.tif 000012
【図１１】
2013239247.tif 000013
【図１２】
2013239247.tif 000014
【図１３】
2013239247.tif 000015
【図１４】
2013239247.tif 000016
【図１５】
2013239247.tif 000017
【図１６】
2013239247.tif 000018
【図１７】
2013239247.tif 000019